(57)【要約】【解決手段】液体又は半液体の中身を入れるための円錐形の容器及びディスペンサーである。容器は、四角形で剛性のあるタブと、タブの両側の、錐体の先端より僅かに下方に設けられた２つの三角形の切り込みと、タブの残りの部分より剛性が低い、タブの頂部領域を破断又は切断し易くするためのミシン目又は刻み目付の切り目線と、を特徴としており、容器の頂部領域は、錐体の残りの部分とは異なる材料で作られており、錐体の頂部領域と残りの部分の間の刻み目付の分割線に弱い帯域を作っていて、ユーザーが、器具を必要とすること無く、タブの頂部領域を容易に破断して、錐体の頂部領域を切り離し、ディスペンサーの潰すことのできる壁又は背面を押すことによって中身をディスペンサーから出す通路を、錐体の先端に開くことができるようになっている。更に、タブと錐体の頂部領域を更に破断し易くするために、糸又は紐を、タブの切り目線及び錐体の分割線に沿ってタブに取り付けてもよい。更に、錐体の中間領域は、箔様の材料で作られていて、中間領域の壁を互いに対して押し付けることによって、錐体を再密封することができるようになっている。【選択図】図１
2008511516.tif 000002
【特許請求の範囲】
【請求項１】
液体及び半液体の中身を入れるための円錐形の容器において、
潰すことのできる材料で形成されている円錐形の本体と、
前記円錐形の本体の頂部に取り付けられており、前記円錐形の本体の頂部を保持するように形成されている頂部領域と底部領域とを含んでいる四角形の剛性のあるタブと、を備えており、
前記底部領域は前記頂部領域より剛性が高く、
前記底部領域と前記頂部領域の間に形成されている移行区画には切り込みが形成されており、
前記円錐形の本体の頂部は、前記円錐形の本体の底部と異なる材料で形成されており、
前記四角形の剛性のあるタブの前記移行区画は、前記円錐形の本体の前記頂部を保持する前記頂部領域を、前記底部領域から破り取って、前記円錐形の本体を開くことができる弱い帯域として形成されている、容器。
【請求項２】
前記円錐形の本体の頂部を形成している前記異なる材料は、箔様の材料なので、前記箔様の材料は、前記箔様の材料を押し付けることによって再密封することができる、請求項１に記載の容器。
【請求項３】
前記移行区画は、前記弱い帯域を形成するようになっている、請求項１に記載の容器。
【請求項４】
前記移行区画は、前記弱い帯域を形成するためにミシン目が開けられている、請求項１に記載の容器。
【請求項５】
前記円錐形の本体の前記頂部の壁は、前記移行区画と同じ高さに刻み目が付いている、請求項１に記載の容器。
【請求項６】
前記移行区画と前記円錐形の本体の頂部に取り付けられている紐を更に備えている、請求項１に記載の容器。
【請求項７】
前記円錐形の本体は、紙、プラスチック、錫箔、金属及びそれらの組み合わせの内の１つの層で形成されている、請求項１に記載の容器。
【発明の詳細な説明】
【技術分野】
【０００１】
本発明は、概括的には、計量した正確なやり方で液体又は半液体を保持し、小出しするための、補強された剛性のあるタブを備えた円錐形の新奇な装置で、ナイフ、ハサミ又は他の器具を使うこと無く、容易且つ便利に開くことができ、容易に再密封することのできる装置に関している。
【背景技術】
【０００２】
本発明は、ａ）中身を計量した正確なやり方で利用することができ、ｂ）使い易く便利で、ｃ）器具又は他の装置を使用すること無く開いて使用することができ、ｄ）容易に再密封することができ、ｅ）簡単且つ経済的に製造することのできる、中身が流体又は半流体のディスペンサー又は容器に対する需要に取り組んでいる。以後、「容器」及び「ディスペンサー」という用語は、互換可能に用いる。
計量した正確な
流体又は半流体の中身を消費する際、中身を計量した正確なやり方で利用できるディスペンサーがあれば良いことが多い。例えば、フライドポテトを食べている人はポテトに少量のケチャップを小出しにしたいし、ベーグルやロールパンを食べている人は少量の良く延びるチーズ、ジャムまたはチョコレートペーストを使用したいし、サラダを食べている人は少量のサラダドレッシングが欲しいし、ホテルの客は宿泊用に少量のシャンプー又は石鹸を必要とする。これらの全ての事例において、消費者は、欲しい中身を欲しい量だけ利用できることを望んでいる。
使い易く
一般的に、容器などあらゆる消費者用の製品は、使い易くて便利でなければならない。この要件は、比較的少量の容器にこそ重要である。消費量が比較的少ない場合、容器を開け、少量を小出しするときに、実用上の障害に数多く遭遇したくないものである。消費者は、むしろ、容器を開けるのに余り時間を取られること無く少量を容易に小出しすることができ、或いは内容物が確実に適切且つ正確なやり方で小出しされことを望んでいる。
器具が要らない
多くの既存の容器は、容器を開くか、又は容器の内容物を小出しするのに器具を必要とする。例えば、容器は、開くのにナイフを、或いは容器の内容物を小出しするのにフォーク又はスプーンを必要とする。器具を必要とすることは、容器を使い難くするので、その実用性と、消費者にとっての魅力を大いに損なう。このことは、特に、小出しされる内容物が少量だからといって、器具を使用する労力又は時間という余分な負担を正当化できるわけではない、少量の容器とディスペンサーに当てはまる。容器を開けるか、又はその内容物を小出しするために器具を使用するには、一般的に時間と労力を掛けることが必要であるが、消費者は、選択できるとすれば、それを好まないであろう。従って、消費者は、器具又は他の装置を必要とすること無く、開いて使用できる容器の方を好む。
再密封可能性
消費者は、ディスペンサーを使用するときに、必ずしもディスペンサーの全内容物を消費したいわけではない。従って、消費者は、ディスペンサーの内容物の残りを後で消費できるように容易に再密封できるディスペンサーを好む。
製造し易く経済的
小出しする中身の値段は、常に非常に高いとは限らないので、ディスペンサーは、製造し易く、比較的安価であるのが望ましい。
【発明の開示】
【課題を解決するための手段】
【０００３】
本発明は、円錐形の容器及びディスペンサーと、液体又は半液体を小出しするためのそのような容器を製造する方法に関する。容器は、潰すことのできる防水材料で作られており、液体又は半液体は、ディスペンサー内に完全に閉じ込められ、密封されている。四角形の剛性のあるタブが容器の側壁に取り付けられ、錐体の先端をタブ内に囲い込み、錐体の形状を維持し、錐体内の中身の量が減少しているときでも、内容物を計量した正確なやり方で小出しできるようになっている。タブは、タブの両側の錐体の先端より僅かに下方の高さに２つの三角形の切り込みが形成され、それと同じ高さに、ミシン目又は刻み目の付いた切り目線が設けられ、タブの上方領域と錐体の上部領域を破断又は切断し易くなっている。更に、切り目線より上方のタブの領域は、切り目線より下方のタブの領域ほど剛性がなく薄くなっており、タブの上部領域を破断又は切断し易くなっている。同様に、錐体の上部領域は、錐体の残部とは異なる材料で作られており、錐体の上部領域と残り部分の間の分割線に弱い帯域を作り出しており、そのような分割線は、錐体の上部領域を破断又は切断し易くするために、僅かに切り目が付けられている。更に、糸又は紐が、錐体の上部領域と残り部分との間の切り目線及び分割線に沿ってタブに取り付けられており、タブ及び錐体の上部領域を更に破断又は切断し易いようになっている。先端の上部が取り外された後は、ユーザーは、ナイフ、ハサミ又は他の器具を必要とすること無く、ディスペンサーの潰すことのできる壁又は背面を押すことによって、中身を正確で計量したやり方で容易に小出しすることができる。更に、錐体の中間領域は、錐体の中間領域の壁を押すだけで、錐体の当該領域を容易に再密封することのできる錫箔又は同様の材料で作られている。
【発明を実施するための最良の形態】
【０００４】
これより、本発明の好適な実施形態について詳細に見て行くが、その例を以下に説明する。本発明の代表的な実施形態について詳細に説明するが、当業者には自明のように、本発明に特に関係の無い機構は、分かり易くするために図示していない。従って、提供している例は、主に、可撓性プラスチック材料で作られた錐体ディスペンサーとして説明している。しかし、自明のように、本発明は、プラスチックではなく他の可撓性防水材料を使った製品も考慮している。更に、提供している例は、主に、少量の液体又は半液体の消費者用商品のためのディスペンサーとして述べている。しかしながら、自明のように、本発明は、非常に大きいものから極めて小さいものまで、どの様な大きさの製品にも、消費者用商品の分野に含まれない容器にも、そして食用又は非食用のどの様な中身にも適用することを考慮している。
【０００５】
本発明は、液体又は半液体を正確なやり方で小出しにするための円錐形のディスペンサーと、ディスペンサーを製造する方法に着目している。ディスペンサーは、潰すことのできる材料で作られており、液体又は半液体は、ディスペンサー内に完全に閉じ込められ、密封されている。ディスペンサーは、紙、プラスチック、錫箔、金属又はそれらの組み合わせから選択した材料の少なくとも１つの層で作られている。
【０００６】
図１は、水平方向位置にあるディスペンサーであり、その３つの主な構成要素、錐体の側壁４１、錐体の背面４２、及び四角形のタブ４３を示している。錐体の背面４２と側壁４１は、共に、プラスチック又は錫箔のような、潰すことのできる防水材料で作られている。タブ４３は、平坦で、ディスペンサーの中に入っている中身の量が減少しても、錐体の形状と剛性を維持する働きをする剛性のある材料で作られている。タブか無ければ、中に入っている中身の量が減少すると、錐体は、自身の形状を自分で維持することができない。その他にも、タブには、錐体の先端でディスペンサーを開き易くする機能がある。図１に示すように、タブには、タブ４３の両側に２つの三角形の切り込み４５が形成されている。ディスペンサーのユーザーは、タブ４３の上部領域４６の破断を開始する際には、タブのどちらかの側を選択して、どちらかの三角形の切り込み４５の内側先端４７で開始し、タブの一方の側から他方の側へ伸び錐体の頂部領域４９と交差するミシン目又は刻み目付の切り目線４８に沿って破り続ける。本発明の好適な実施形態では、タブ４３は、切り目線４８より下側の特別剛性が高く厚い領域５０と、切り目線より上側の、剛性が低く薄い領域４６で構成されている。タブの剛性が低く薄い上側の領域４６は、ディスペンサーのユーザーが、タブのこの部分を破り取ってディスペンサーを開き易いようにしており、一方、タブの特別剛性が高く厚い下側の領域は、ディスペンサーを開いた後でも、小出しされた中身と錐体に残っている中身の量には関係なく、ディスペンサーの円錐形を維持する。タブの上側領域４６の破断を開始する際には、ディスペンサーのユーザーは、タブの下側部分を一方の手の人差し指と親指の間に保持し、タブの上側部分を他方の手の人差し指と親指の間に保持することによってディスペンサーを保持し、２つの手を反対方向に動かして、ユーザーがディスペンサーを保持しているタブの側に位置する三角形の切り込み４５の内側先端４７に最大圧力を作り出す。圧力が掛かると、タブは、そのような内側先端で破れて分離し始める。
【０００７】
本発明の好適な実施形態では、錐体の潰すことのできる壁４１は、錐体の壁の３つの個々の領域を作っている３つの異なる材料を組み合わせて作られている。第１に、錐体の頂部領域４９は、錐体の先端４４から上方分割線５１まで延びている。第２に、錐体の中間領域５２は、上方分割線５１から下方分割線５３まで伸びており、この下方分割線５３は、上方分割線５１と、錐体の円形の背面が錐体の側壁４１に取り付けられている円形境界５５との間に位置している。第３に、錐体の下方領域５４は、下方分割線５３から円形境界５５まで伸びている。
【０００８】
これも図１に示すように、上方分割線５１は、タブ４３のミシン目又は刻み目付の切り目線４８と一列になっている。ディスペンサーのユーザーが、タブの上方領域の一部を、どちらかの三角形の切り込み４５の内側先端４７から始めて、ミシン目又は刻み目付の切り目線４８に沿って錐体の頂部領域４９の上方分割線５１に達するまで破り続けると、ユーザーは、分割線５１に沿って破断運動を続けて錐体の頂部領域４９を破り取り、更にタブの他方の側を、他方の側の分割線に沿って破り取ることができる。ユーザーが破断運動を継続して錐体の上方領域を取り外し易いようにするため、分割線５１には、僅かに刻み目が付いている。また、錐体の頂部領域４９は、ユーザーが破断運動を続けて分割線５１に到達したときに、頂部領域４９の破断が、タブの上方領域４６の破断をより自然に発生させるのを保証するために、錐体の中間領域５２より強くタブの上方領域４６に取り付けられている。
【０００９】
ユーザーが錐体の頂部領域４９とタブの上方領域４６を取り外すと、ユーザーにはタブの特別剛性のある厚い領域５０と、錐体の下方領域５４が手に残り、ユーザーは、分割線５１の残り部分であるディスペンサーの新しい先端に、ディスペンサーを離れる中身の通路を効果的且つ容易に開いたことになる。図７は、錐体の頂部領域４９とタブの上方領域４６が取り外された後のディスペンサーを示している。ユーザーは、ディスペンサーの新しい先端５１を、中身を小出しする点に向けることによって、錐体の中身を正確に小出しすることができるようになる。更に、ユーザーは、錐体の中間領域５２、下方領域５４又は背面４２の潰すことのできる壁を大きく又は小さく押すことによって、錐体の中身を計量したやり方で小出しすることができるようになる。
【００１０】
これも図７において、本発明の好適な実施形態では、ディスペンサーの潰すことのできる壁の中間領域５２は、錫箔で作られている。ユーザーが先に述べたやり方でディスペンサーを開き、それを使って錐体の中身を幾らか小出しした後は、ディスペンサー内に利用可能な予備空間ができる。ユーザーは、この予備空間を使って、中間領域５２の壁を互いに、具体的には、錐体がまだそれほど広がっていないディスペンサーの新しい先端５１、又はその付近を互いに押し付けることができる。錫箔の中間領域の両壁を押し付けると、錐体の先端が気密密閉されるので、ユーザーは、ディスペンサーを効果的に再密封することができる。当業者には自明のように、錫箔以外の材料でも密封効果を達成することができる。錐体を再密封すると、ユーザーは、錐体を後で使用するために、錐体の中身を良好な状態に維持したまま保管することができる。
【００１１】
図２は、概ね図１の２−２線に沿うディスペンサーの横方向断面図であり、錐体の頂部領域４９、中間領域５２、及び下方領域５４の一部と、上方分割線５１及び下方分割線５３を内側から示している。図２は、切り目線４８より下側の、タブ４３の特別剛性のある厚い領域５０の一部も示している。
【００１２】
図３は、概ね図１の３−３線に沿うディスペンサーの長手方向断面図であり、錐体の頂部領域４９、中間領域５２、及び下方領域５４と、タブの上方領域４６を示している。図３は、更に、錐体の潰すことのできる壁の中のチャンバ６０の半分を示しており、そこには、小出しされる中身が小出しされるまで保持される。
【００１３】
図８は、図３の断面図の一部の拡大図である。図８は、タブの上方領域４６と、錐体の頂部領域４９、中間領域５２及び下方領域５４の一部と、錐体の潰すことのできる壁の中のチャンバの一部と、を示している。図８は、更に、錐体のユーザーが錐体の頂部領域４９をより容易に破断できるように設けられた上方分割線５１の刻み目を、より明確に示している。自明であるが、ディスペンサーの他の実施形態では、本発明の機能及びユーザーの使い易さを最適にするために、分割線５１には頂部領域４９を破断し易くするもっと多いか又は少ない刻み目又は他の機構を設けることができるようになっている。
【００１４】
図９は、錐体の中間領域５２が無いことを除いて、ディスペンサーが図１、図３、図８に示しているのと同じ、本発明の別の実施形態の一部の断面図の部分拡大図である。代わりに、錐体の潰すことのできる壁４１は、２つの異なる材料だけを組み合わせて作られており、錐体の壁に２つの別々の領域だけが作られ、その第１は、錐体の先端４４から上方分割線５１まで伸びている錐体の頂部領域４９であり、第２は、上方分割線５１から円形境界５５まで伸びている錐体の下方領域５４である。この実施形態では、錐体の下方領域５４は、錫箔、又は図８に示している実施形態の中間領域５２と同様の特性を有する材料で作られており、従って、この実施形態は、錐体の下方領域５４が再密封可能な特徴を備えている。
【００１５】
図４は、概ね図１の４−４線に沿うディスペンサーの垂直方向図であり、錐体の頂部領域４９、中間領域５２及び下方領域５４と、上方分割線５１及び下方分割線５３と、円形境界５５と、タブの特別剛性がある厚い下方領域５０と、タブの剛性が低く薄い上方領域４６と、ディスペンサーのこの側に見える三角形の切り込み４５と、を示している。
【００１６】
図５は、概ね図１の５−５線に沿う錐体の背面４２の正面図である。錐体の背面４２は円形且つ平坦で、円形境界５５で錐体の側壁４１に取り付けられている。
図６は、概ね図１の６−６線に沿う錐体の正面図であり、タブの剛性が低く薄い上方領域４６と、上方領域４６より厚いので突き出しているタブの特別剛性のある下方領域５０とを示している。図６は、更に、錐体の側壁４１を示しており、側壁は、側壁が錐体４２の背面に取り付けられている円形境界５５に近づくほど徐々に広くなっており、逆に、タブの上方領域４６内に取り囲まれている錐体の先端４４に近づくほど狭くなっている。
【００１７】
ディスペンサーの側壁４１を円錐形に作る際には、可撓性材料のシートを図１０に示す形状に畳むことになり、その際、シートの一方の側６６をシートの他方の側６７と一体に接合して円錐形のチャンバを作り、４４がチャンバの先端となり、シートの残りの辺６５はチャンバの底になる。２つの辺６６と６７を接合させると、図１と図６に示す本発明の最終的な実施形態に見ることができる継ぎ目６８ができる。シートの残りの辺６５は、錐体の背面４２に取り付けられて円形境界５５を形成し、図１と図７に示すように、ディスペンサーの底部の円周を構成する。図１０に示すように、ディスペンサーの側壁４１を構成するシートは、錐体の３つの異なる領域となる３つの領域、頂部領域４９、中間領域５２及び下方領域５４を構成し、それぞれ上方分割線５１と下方分割線５３によって分けられている。先に述べたように、上方分割線５１は、ディスペンサーのユーザーが頂部領域４９を更に容易に破り取れるように、僅かに刻み目が付けられている。
【００１８】
図１１は、図９に関して先に述べた錐体の中間領域５２が無い実施形態のディスペンサーに用いられるシートを示していることを除いて、ディスペンサーの側壁４１を作るのに用いられるシートを示している図１０と同じ図である。従って、シートは、２つの異なる材料のみを組み合わせて作られており、錐体の壁に唯２つの別々の領域、即ち、上方分割線５１で分けられる錐体の頂部領域４９と下方領域５４を形成する。
【００１９】
ディスペンサーの側壁４１は、先に述べたように１つのシートを畳むのではなく、図１２に示しているように、可撓性材料の２枚の同じシートを使って作ることもできる。そのような実施形態では、２つの辺７１と７２を、それぞれ他のシートの２つの辺７２と７１に接合して、先に述べた実施形態と同様の円錐形のチャンバを作る。具体的には、図１２の２枚のシートの２つの残りの辺７３は、図１０の残りの辺６５と同様で、錐体の背面４２に取り付けられ；図１２のシートの接合される上部領域７６は、図１０の頂部領域４９と同様であり；図１２のシートの接合される中間領域７７は、図１０の中間領域５２と同様であり；図１２のシートの接合される下方領域７８は、図１０の下方領域５４と同様であり；図１２のシートの接合される上方分割線７４は、図１０の上方分割線５１と同様であり；図１２のシートの接合される下方分割線７５は、図１０の下方分割線５３と同様である。図１０に記載されている実施形態と同様に、上方分割線７４には、ディスペンサーのユーザーが接合された上部領域７６をより容易に破断できるように、僅かに刻み目が付けられている。当業者には自明のように、側壁を、本発明の最終的な実施形態において側面の継ぎ目が、１つ又はそれ以上、或いは全く見えない円錐形に作ることのできる代わりの処理法もある。
【００２０】
図１３は、本発明を構成するため、本発明の３つの主な構成要素（錐体の側壁４１、錐体の背面４２、及び四角形のタブ４３）がどのように組み立てられるかを示している。四角形のタブ４３は、タブが錐体の中間に着座し、錐体の先端４４をタブの中に取り囲むように、錐体の側壁４１に取り付けられる。錐体の背面４２は、円形であり、錐体の側壁４１に取り付けられる。図１３は、更に、錐体の３つの領域、即ち頂部領域４９、中間領域５２及び下方領域５４；錐体の前記領域を分ける上方分割線５１と下方分割線５３；錐体の側面継ぎ目６８；錐体４２の背面に取り付けられる壁の下側辺６５；タブ４３の２つの領域、即ち切り目線４８より下方の特別剛性のある厚い領域５０と、切り目線４８より上方の剛性が低く薄い領域４６；タブ４３の両側の２つの三角形の切り込み４５、を示している。本発明の製造段階は、好適な実施形態では、概ね４つの段階を含んでいる。第１段階では、ディスペンサーを形成するために、図１０に示しているシートを畳んで錐体の側壁４１を作る。第２段階では、四角形のタブ４３を、図１３に示しているように、側壁の頂部に取り付ける。タブ４３は、以下に詳細に説明するように、様々な実施形態に作ることができる。第３段階では、容器に、入れて小出しにする流体又は半流体の中身を充填する。最後の段階では、錐体の背面４２を側壁に取り付ける。第３及び第４の連続する段階の代わりに、錐体の背面４２を部分的に密封することもできる。充填する間は、底継ぎ目の未密封部分を、例えば吸着カップ付きの分離器で開いて、充填できるようにする。次いで、継ぎ目の残り部分を密封する。
【００２１】
当業者には自明のように、別の工程と製造手順で、図１に示しているようなディスペンサーを組み立てることもできる。更に、これも自明であるが、異なる形状のシートを使って、ディスペンサーをもっと経済的又は効率的なやり方で製造することもできるし、先に述べたシート形状を僅かに調整又は切断して、ディスペンサーの様々な構成要素を溶着、糊付け又は取り付け易くするか、それらに対応させることもできる。更に、自明のように、本発明の様々な領域及び部分を溶着、ポリマー又は他の物質を使って糊付け、又は互いに取り付けることのできる様々な材料があり、そのような溶着、糊付け、又は取り付けを実現できる様々な方法及び手順がある。
【００２２】
図１４、１５、１６、１７、１８、１９は、四角形のタブ４３が側壁４１に取り付けられる前の、その異なる実施形態を示している。これらの様々なタブの実施形態に、先に述べたディスペンサーの他の構成要素が、先に述べたようなやり方で取り付けられる。図１４では、タブの上方領域４６は、図１より長さが長い。このような実施形態は、ディスペンサーのユーザーが、上方領域をしっかりと握り、従って、その領域を容易に破断してディスペンサーを開くことができるという利点を有している。図１５は、概ね図１４の１５−１５線に沿うタブ４３の側面図で、特別剛性のある厚い下方領域５０と剛性が低く薄い上方領域４６の間の幅に大きな差があることを示している。図１５は、更に、下方の厚い領域５０から上方の薄い領域４６までの移行区画８０が、三角形の切り込み４５の下方部分でどのようになっているかを示している。
【００２３】
図１６は、三角形の切り込み４５がタブ４３の中に遙かに深く切り込まれ、何れの三角形の切り込み４５の内側先端４７も、錐体の先端が配置される領域に更に近く位置しているタブの或る実施形態を示している。このような実施形態では、ミシン目又は刻み目付の切り目線４８も短いので、ディスペンサーのユーザーは、タブの上方領域４６と錐体の上方領域４９を切り離すのに掛ける破断力が少なくて済む。
【００２４】
図１７は、タブの上方領域４６が図１のものよりも長く、三角形の切り込み４５がタブ４３の中に深く切り込まれていないので、何れの三角形の切り込み４５の内側先端４７も、錐体の先端が配置される領域から更に離れて位置しているタブの別の実施形態を示している。このような実施形態では、ミシン目又は刻み目付の切り目線４８も長い。更に、図１７の下方領域５０と上方領域４６は、同じか又は同様の厚さを有している。
【００２５】
図１８は、タブの上方領域４６の、２つの三角形の切り込み４５の直ぐ上に追加のスタブ８１が設けられているタブの更に別の実施形態を示している。追加のスタブ８１は、上方領域４６と一体の部分であり、従って、上方領域４６と同じ材料で作られているか、又は、上方領域４６の残り部分より更に可撓性のある薄い材料で作られている
図１９は、糸又は紐８２が、上方領域４６のミシン目又は刻み目付の切り目線４８の直ぐ上に組み込まれているタブの或る実施形態を示している。追加のミシン目付の切り目線８３が、糸又は紐８２の直ぐ上に設けられている。ディスペンサーを開きたいディスペンサーのユーザーは、糸又は紐８２を引っ張ることによって、タブの上方領域４６と錐体の頂部領域４９を簡単に切り離すことができ、この糸又は紐８２の一部は、ユーザーが糸又は紐８２を容易に掴むことができるように三角形の切り込み４５の高さでタブの横に垂れ下がっている。糸又は紐は、紙、プラスチック、錫箔、金属、繊維又はそれらの組み合わせから選択された材料で作ることができる。代わりに、糸又は紐８２は、タブの上方領域４６の材料と同じか又は同様の材料で作ってもよい。また、糸又は紐８２は、上方領域４６に組み込むのではなく、タブ４３が錐体の側壁４１に取り付けられる前又は後に、上方領域に取り付けてもよい。
【００２６】
図２０は、図１９に関連して先に述べたように糸又は紐８２が上方領域４６に取り付けられている本発明の実施形態の完成図である。更に、糸又は紐８２は、ミシン目又は刻み目付の切り目線４８と追加の切り目線８３の間に整列しているだけでなく、タブの片側の錐体の頂部領域４９の回りに包み込まれている。代わりに、２本の糸又は紐を切り目線に沿って平行に走らせ、一方の糸又は紐がタブの一方の側の頂部領域４９の回りを取り巻き、他方の糸又は紐がタブの他方の側の頂部領域４９の回りを取り巻いていてもよい。
【００２７】
自明であるが、タブ４３は、上に述べた各実施形態のあらゆる特徴を含む、広範な大きさ、長さ及び幅に作ることができる。
本発明は、先に述べたディスペンサーに必要とされていることに取り組んでいる。本ディスペンサーは、限定するわけではないが、ケチャップ、マヨネーズ又はサラダドレッシングのようなあらゆる種類のソース、伸ばすことのできるチーズ、チョコレートペースト、コーヒークリーム、他の調理済み食品、並びにコンディシヨナー又はシャンプー、ヘアージェル、液体石鹸又は練り歯磨きのような非食用の液体又は半液体の消費者用製品を含む様々な流体又は半流体を中身に入れて用いることができる。本発明は、ディスペンサーを開く器具を必要とせず、従って、器具が極めて厄介であるか、実用的でない事例に適している。円錐形と剛性のある四角形のスタブは、ディスペンサーのユーザーが、ディスペンサーの中に入っている中身を、極めて容易且つ便利なやり方で、欲しい場所に欲しい量だけ、計量した正確なやり方で使用できるようにしている。ディスペンサーは再密封可能なので、ディスペンサーのユーザーは、中に入っている中身を何度でも小出しすることができる。
【００２８】
ここに図示し、説明してきたものは、可撓性材料で作られた流体の容器のような、或る種の搾り出す製品の改良品である。改良について、或る好適な実施形態に関連付けて図示し、説明してきたが、本発明は、それらに限定されるものではない。特に、上記の仕様及び実施形態は、分かり易くするためのものであって、限定するものではない。従って、当業者には、上記説明を読めば、構造的又は機械的等価物のような代替案、又は本発明の製造に関する代替的方法、及び他の修正案が想起できるであろう。従って、そのような代替案、変更、方法及び修正案は、それらが特許請求の範囲に述べる精神及び範囲の中にある限り、本発明の一部を形成するものと考えるべきである。
【図面の簡単な説明】
【００２９】
【図１】或る実施形態のディスペンサーを水平方向に配置した状態を示している。
【図２】図１の実施形態の、概ね図１の２−２線に沿う横方向断面図である。
【図３】図１の実施形態の、概ね図１の３−３線に沿う長手方向断面図である。
【図４】図１の実施形態の、概ね図１の４−４線に沿う垂直方向の図である。
【図５】図１の実施形態の、概ね図１の５−５線に沿う正面図である。
【図６】図１の実施形態の、概ね図１の６−６線に沿う正面図である。
【図７】或る実施形態のディスペンサーの、ディスペンサーを開いた後の状態を示している。
【図８】図３の実施形態の断面図の一部の拡大図である。
【図９】或る実施形態のディスペンサーの断面図の一部の拡大図である。
【図１０】本発明の構成要素、錐体の側壁を製造するのに用いるシートの或る実施形態を示している。
【図１１】本発明の構成要素、錐体の側壁を製造するのに用いるシートの別の実施形態を示している。
【図１２】本発明の構成要素、錐体の側壁を製造するのに用いる２枚のシートの或る実施形態を示している。
【図１３】本発明の或る実施形態の組み立て方を示している。
【図１４】本発明の構成要素、側壁に取り付けられる前の四角形のタブの或る実施形態を示している。
【図１５】図１４の本発明の構成要素の実施形態の、概ね図１４の１５−１５線に沿う側面図である。
【図１６】本発明の構成要素、側壁に取り付けられる前の四角形のタブの別の実施形態を示している。
【図１７】本発明の構成要素、側壁に取り付けられる前の四角形のタブの別の実施形態を示している。
【図１８】本発明の構成要素、側壁に取り付けられる前の四角形のタブの別の実施形態を示している。
【図１９】本発明の構成要素、側壁に取り付けられる前の四角形のタブの別の実施形態を示している。
【図２０】図１９に示す本発明の実施形態の構成要素を組み込んだ本発明の或る実施形態を示している。
【図１】
2008511516.tif 000003
【図２】
2008511516.tif 000004
【図３】
2008511516.tif 000005
【図４】
2008511516.tif 000006
【図５】
2008511516.tif 000007
【図６】
2008511516.tif 000008
【図７】
2008511516.tif 000009
【図８】
2008511516.tif 000010
【図９】
2008511516.tif 000011
【図１０】
2008511516.tif 000012
【図１１】
2008511516.tif 000013
【図１２】
2008511516.tif 000014
【図１３】
2008511516.tif 000015
【図１４】
2008511516.tif 000016
【図１５】
2008511516.tif 000017
【図１６】
2008511516.tif 000018
【図１７】
2008511516.tif 000019
【図１８】
2008511516.tif 000020
【図１９】
2008511516.tif 000021
【図２０】
2008511516.tif 000022
【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
円錐形の容器において、
潰すことのできる材料で形成されている円錐形の本体と、
前記円錐形の本体に取り付けられて、前記円錐形の本体の頂部を該円錐形の本体の残部から破断して前記円錐形の本体を開くことができるように形成したタブと、
を備えており、該タブが可撓性を有してなることを特徴とする容器。
【請求項２】
開かれた後に残る前記円錐形の本体の前記残部の全部又は一部が封止効果を備えた材料で構成され、これにより前記材料を押し付けることにより再密封することができるようにしてなることを特徴とする請求項１に記載の容器。
【請求項３】
前記封止効果を備えた材料は、箔様の材料であることを特徴とする請求項２に記載の容器。
【請求項４】
前記円錐形の本体は、紙、プラスチック、錫箔、金属及びそれらの組み合わせの内の１つの層で形成されていることを特徴とする請求項１に記載の容器。
【請求項５】
前記タブ又は前記円錐形の本体の前記残部から前記タブ又は前記円錐形の本体の頂部を破り取ることができるように前記円錐形の本体のタブ又は頂部に弱い帯域を形成してなることを特徴とする請求項１に記載の容器。
【請求項６】
前記円錐形の本体の前記タブ又は前記頂部の前記弱い帯域は、刻み目により形成されていることを特徴とする請求項５に記載の容器。
【請求項７】
前記タブ又は前記円錐形の本体の前記残部から前記タブ又は前記円錐形の本体の頂部を破り取りやすくするために前記タブ又は前記円錐形の本体の頂部に取り付けられている糸又は紐を更に備えることを特徴とする請求項１に記載の容器。
【請求項８】
基部及び２つの側壁を更に備え、該側壁が合体して前記基部から長手方向に少なくとも１本の側部のミシン目を形成するようにしてなることを特徴とする請求項１に記載の容器。
【請求項９】
１つ以上の側壁を更に備え、前記円錐形の本体の背部が該円錐形の本体の前記背部の接合部から前記側壁に至る底部のミシン目を有することを特徴とする請求項１に記載の容器。
【請求項１０】
前記円錐形の本体及び前記タブは同じ材料で作られることを特徴とする請求項１に記載の容器。
【請求項１１】
前記タブ及び前記円錐形の本体の頂部領域を前記タブ及び前記円錐形の本体の頂部領域を前記タブ及び前記円錐形の本体の前記残部から破り離して前記円錐形の本体を開くことができるように前記タブに刻み目を形成したことを特徴とする請求項１に記載の容器。
【国際調査報告】
2008511516.tif 000023
2008511516.tif 000024
2008511516.tif 000025